(57)【要約】【課題】設置が容易でスキー板を着脱自在なスキー板用作業台を提供する。【解決手段】枠状の天板（天枠２０）の開口内部にスキー板６０の締め具６１を固定する固定器具３０を備えるスキー板用作業台１０である。固定器具３０は前記天板２０の上面よりも下側に設けられ、前記天板２０の長手方向に滑動しスキー板６０の締め具６１と嵌合する。締め具６１が天板２０の開口内部に位置するように天板２０にスキー板６０を上下逆に載せ、天板２０の長手方向に固定器具３０を滑動させて締め具６１と嵌合させると、スキー板６０自身の弾性力によりスキー板６０が天板２０の前端辺２５及び後端辺２６の上面に当接し、スキー板６０を天板２０に固定することができる。【選択図】      図４
2004298397.tif 000002
【特許請求の範囲】
【請求項１】
枠状の天板の開口内部にスキー板の締め具を固定する固定器具を備えることを特徴とするスキー板用作業台。
【請求項２】
前記固定器具は前記天板の上面よりも下側に設けられ、前記天板の長手方向に滑動しスキー板の締め具と嵌合することを特徴とする請求項１に記載のスキー板用作業台。
【請求項３】
前記固定器具を２台平行に備えることを特徴とする請求項１または２に記載のスキー板用作業台。
【請求項４】
前記天板の長手方向の辺に沿ってスキー板の上下面を挟む複数のクランプ部を設けたことを特徴とする請求項１〜３のいずれか一項に記載のスキー板用作業台。
【請求項５】
前記天板に沿って折りたたまれる脚を備えることを特徴とする請求項１〜４のいずれか一項に記載のスキー板用作業台。
【発明の詳細な説明】
【０００１】
【発明の属する技術分野】
本発明は、スキー板用作業台に関する。
【０００２】
【従来の技術】
スキー板の下地処理は、性能を最大限発揮させるために必要である。特に競技スキーの場合、下地処理の良し悪しがその成果を左右する重要なポイントとなる。
スキー板の下地処理としては、エッジの処理、ケバ取り、クリーニングやワクシング等がある。これらの作業を行う際にはスキー板を作業台に固定する必要がある。
【０００３】
スキー板の固定方法としては、ボルトまたは万力で擬似スキー靴型の固定器具を作業台に取り付け、固定器具にスキー板を取り付けることで作業台にスキー板を固定するものがあった（例えば、特許文献１参照）。
【０００４】
また、スキー板の前部と後部とを載せる２つの載置台と、スキー板の締め具のストッパーをフックで作業台側に引っ張る引っ張り台とからなる固定器具を作業台に取り付ける方法もあった（例えば、特許文献２参照）。
【０００５】
【特許文献１】
特開平６−３９０７６号公報
【特許文献２】
特開平１１−８９９９２号公報
【０００６】
【発明が解決しようとする課題】
しかし、従来の技術では作業台に固定器具を取り付けるため、移動する際には作業台から固定器具を取り外し、折りたたんだ作業台と固定器具とを運搬し、移動先で組み立てた作業台に固定器具を再び取り付けなければならず、設置作業が煩雑となっていた。
【０００７】
また、擬似スキー靴型の固定器具を用いる際には、締め具部分のみでスキー板を固定するため、スキー板の先端部分や後端部分の調整時にスキー板が揺れ動く恐れがあった。また人によって足の大きさが異なるため、スキー板の締め具のつま先部片、かかと部片の間隔に固定器具の長さを調整しなければならず、スキー板の取り付け作業が煩雑となっていた。
【０００８】
本発明の課題は、設置が容易でスキー板を着脱自在なスキー板用作業台を提供することにある。
【０００９】
【課題を解決するための手段】
以上の課題を解決するため、本発明の請求項１に記載の発明は、例えば図４に示すように、スキー板用作業台１０において、枠状の天板（天枠２０）の開口内部にスキー板６０の締め具６１を固定する固定器具３０を備えることを特徴とする。
【００１０】
請求項１に記載の発明によれば、枠状の天板２０の開口内部にスキー板６０の締め具６１を固定する固定器具３０を備えるので、スキー板６０を上下逆に載せた状態で天板２０の開口内部において固定器具３０に締め具６１を固定することができ、作業時にスキー板が揺れ動く恐れがない。
【００１１】
請求項２に記載の発明は、請求項１に記載のスキー板用作業台１０において、前記固定器具３０は前記天板２０の上面よりも下側に設けられ、前記天板２０の長手方向に滑動しスキー板６０の締め具６１と嵌合することを特徴とする。
【００１２】
請求項２に記載の発明によれば、スキー板６０の締め具６１と嵌合する固定器具（嵌合部４０）が天板２０の上面よりも下側に設けられ、天板２０の長手方向に滑動しスキー板６０の締め具６１と嵌合するので、天板２０の長手方向に固定器具（嵌合部４０）を滑動させて締め具６１と嵌合させると、スキー板６０自身の弾性力によりスキー板６０が天板２０の前端辺２５及び後端辺２６の上面に当接し、スキー板６０を天板２０に固定することができる。
【００１３】
請求項３に記載の発明は、請求項１または２に記載のスキー板用作業台１０において、前記固定器具３０を２台平行に備えることを特徴とする。
【００１４】
請求項３に記載の発明によれば、１対のスキー板６０を平行に並べて固定することができ、左右のバランスをとりながら下地処理を行うことができる。
【００１５】
請求項４に記載の発明は、請求項１〜３のいずれか一項に記載のスキー板用作業台１０において、前記天板２０の長手方向の辺（左辺２１）に沿ってスキー板６０の上下面を挟む複数のクランプ部５０を設けたことを特徴とする。
【００１６】
請求項４に記載の発明によれば、天板２０にスキー板６０の上下面を挟む複数のクランプ部５０を設けたので、クランプ部５０を用いてスキー板６０の上下面を挟み、左右いずれかのエッジを上にしてスキー板６０を縦に作業台１０に固定することができる。
【００１７】
請求項５に記載の発明は、請求項１〜４のいずれか一項に記載のスキー板用作業台１０において、前記天板２０に沿って折りたたまれる脚１１を備えることを特徴とする。
【００１８】
請求項５に記載の発明によれば、作業台１０の脚１１を天板２０に沿って折りたたむことができるので、容易に作業台１０を運搬することができる。
【００１９】
【発明の実施の形態】
以下に、本発明の実施の形態例について詳細に述べる。
図１（ａ）は、本発明の実施の形態例としてスキー板が固定される作業台１０を示す図である。図１（ａ）に示すように、作業台は、脚１１と、天枠２０（天板）とからなる。脚１１、１１は蝶番１２、１２で天枠２０の前後端部と連結されており、作業台は図１（ｂ）に示すように天枠２０の下側に沿って脚１１をたたんで小さくすることができる。
【００２０】
図２（ａ）は天枠２０の平面図である。長手方向がスキー板の前後方向となる。図２（ｂ）、（ｃ）はそれぞれ図２（ａ）の矢印Ｂ、Ｃ面での天枠２０の断面図である。天枠２０の左辺２１、右辺２２は図２（ｂ）、（ｃ）に示すように内側に溝２３がある。溝２３と天枠の下面との間が後述する固定器具３０を天枠２０内部で前後に移動させるレール２４となる。
【００２１】
天枠２０の開口内には固定器具３０が設けられている。
固定器具３０は、前方の固定部３１と後方の嵌合部４０とからなる。固定部３１は、固定部材３２と、挟持部材３３ａ、３３ｂと、ボルト３４とからなる。固定部材３２の左右両端部にはそれぞれ下面に挟持部材３３ａ、３３ｂがボルト３４で取り付けられている。
【００２２】
挟持部材３３ａは固定部材の下側に位置し、図２（ｂ）に示すように、それぞれ天枠２０の左辺２１、右辺２２のレール２４の上に載っている。
挟持部材３３ｂは挟持部材３３ａとの間にレール２４を挟んでレール２４よりも下側にボルト３４により固定されている。ボルト３４を緩めると、固定部３１はレール２４に沿って前後に摺動自在となり、スキー板６０の固定位置を調整することができる。
【００２３】
嵌合部４０は、図２（ｃ）に示すように、支持部材４１と、滑り止めゴム４２と、滑動部材４３と、ボルト４４と、嵌合部材４５とからなる。
図２（ｄ）は図２（ｃ）の左端部の拡大図である。支持部材４１は左右両端の上面に切欠き部４６が設けられ、厚みが薄くなっている。切欠き部４６の垂直面４６ａ、４６ａ同士の間隔は、天枠２０の左辺２１と右辺２２との間隔よりも小さくなっており、支持部材４１は両垂直面４６ａ、４６ａが天枠の左辺２１、右辺２２よりも内側に来るように配置される。
【００２４】
また、切欠き部４６の水平面４６ｂには滑り止めゴム４２が設けられている。支持部材４１は、滑り止めゴム４２とレール２４下面との間に隙間を空けて配置される。
また切欠き部４６の中央寄り部分には滑動部材４３がボルト４４で取り付けられている。滑動部材４３は天枠２０の左辺２１、右辺２２の溝内に位置しており、下面でレール２４と接している。滑動部材４３がレール２４上を前後に滑動することにより、嵌合部４０はレール２４に沿って前後に移動自在である。
【００２５】
嵌合部材４５は、前方部分がスキー靴のつま先部分と類似の形状をしており、スキー板６０の締め具６１のつま先部片６２と嵌合する。嵌合部材４５の後方部分は支持部材４１に取り付けられている。
嵌合部材４５は２つあり、１対のスキー板６０を平行に並べて固定することができ、左右のバランスをとりながら下地処理を行うことができる。なお嵌合部材４５の数は任意であり、スキー板６０を取り付けるのに十分な間隔を空けて支持部材４１に設けてもよい。
【００２６】
また、図２（ａ）に示すように天枠２０の前端辺２５、後端辺２６の左右いずれかの側にはクランプ部５０が設けられている。
クランプ部５０は図３（ａ）、図３（ｂ）に示すように蝶番５３により回動自在に取り付けられている。クランプ部５０はスキー板６０を挟む１対のあご部５１、５１を有している。両あご部５１、５１の間の溝５２はクランプ部５０を回動させて天枠上に配置した状態で上を向く。またあご部５１、５１のいずれか一方にはボルト５４を有しており、ボルト５４の先端と他方のあご部５１とでスキー板６０の上下面を押えて挟むことができる。なおボルト５４の先端はスキー板６０を傷つけないように弾力性の樹脂で形成されている。
【００２７】
また天枠２０の前端辺２５、後端辺２６の上面には断力材２７が設けられており、スキー板６０を支持する際にスキー板６０に傷がつかないようにしている。なお断力材２７はクランプ部５０の回動の妨げとならないよう、クランプ部５０の底面が天枠２０の左辺２１に接する部分に切欠き２８がある。
【００２８】
次に、本実施の形態の作業台１０にスキー板６０を固定する方法を説明する。まず固定部３１を任意の場所で固定し、嵌合部４０を十分後方へ配置させる。この状態でスキー板６０を天枠２０の前端辺２５と後端辺２６の上に上下逆に載せ、スキー板６０の締め具６１のつま先部片６２の先端を固定部３１に当接させる。次にスキー板６０を上から軽く押しながら嵌合部４０を前方へ移動させ、図４（ｂ）に示すように嵌合部４０をつま先部片６２に嵌合させる。
【００２９】
スキー板６０から手を離すとスキー板６０の弾性力により嵌合部４０は上方へ引っ張られ、図４（ｃ）に示すように嵌合部４０の滑り止めゴム４２がレール２４に押し付けられ、嵌合部４０が固定される。それとともにスキー板６０自身が前端辺２５及び後端辺２６上面の断力材２７に当接させられる。以上により図４（ａ）に示すようにスキー板６０を作業台１０に固定し、スキー板６０の底面を調整することができる。
【００３０】
また、スキー板６０を作業台１０から取り外す時には、スキー板６０を上から軽く押しながら嵌合部４０を後方へ移動させることで容易に取り外すことができる。本実施例によれば、嵌合部４０を前後に移動してスキー板６０を作業台１０に着脱するので、締め具６１のつま先部片６２とかかと部片６３との距離、すなわちスキー板６０の使用者の足の大きさに関係なく、スキー板６０を作業台１０に固定することができる。
【００３１】
スキー板６０のエッジを調整する際には、図３（ｃ）に示すように、クランプ部５０を用いてスキー板６０の上下面を挟み、左右いずれかのエッジを上にして作業台に固定することができる。
【００３２】
なお、以上の実施の形態においては、スキー板６０の締め具６１のつま先部片６２を固定するものとしたが、本発明はこれに限定されるものではなく、嵌合部材４５をスキー靴のかかと形状にし、かかと部片６３を固定しても良いし、つま先部片６２とかかと部片６３の両方を固定してもよい。その他、具体的な細部構造等についても適宜に変更可能であることは勿論である。
【００３３】
【発明の効果】
請求項１に記載の発明によれば、枠状の天板の開口内部にスキー板の締め具を固定する固定器具を備えるので、スキー板６０を上下逆に載せた状態で天板２０の開口内部において固定器具３０に締め具６１を固定することができ、作業時にスキー板が揺れ動く恐れがない。
【００３４】
請求項２に記載の発明によれば、請求項１に記載の発明と同様の効果が得られるとともに、スキー板の締め具と嵌合する固定器具が天板の上面よりも下側に設けられ、天板の長手方向に滑動しスキー板の締め具と嵌合するので、天板の長手方向に固定器具を滑動させて締め具と嵌合させると、スキー板自身の弾性力によりスキー板が天板の前端辺及び後端辺の上面に当接し、スキー板を天板に固定することができる。
【００３５】
請求項３に記載の発明によれば、請求項１または２に記載の発明と同様の効果が得られるとともに、１対のスキー板を平行に並べて固定することができ、左右のバランスをとりながら下地処理を行うことができる。
【００３６】
請求項４に記載の発明によれば、請求項１〜３のいずれか一項に記載の発明と同様の効果がえられるとともに、天板にスキー板の上下面を挟む複数のクランプ部を設けたので、クランプ部を用いてスキー板の上下面を挟み、左右いずれかのエッジを上にしてスキー板を縦に作業台に固定することができる。
【００３７】
請求項５記載の発明によれば、請求項１〜４のいずれか一項に記載の発明と同様の効果が得られるとともに、作業台の脚を天板に沿って折りたたむことができるので、容易に作業台を持ち運ぶことができる。
【図面の簡単な説明】
【図１】（ａ）は本発明の実施の形態例の作業台１０の側面図であり、（ｂ）は折りたたんだ状態の作業台１０の側面図である。
【図２】（ａ）は天枠２０の平面図であり、（ｂ）、（ｃ）はそれぞれ（ａ）の矢印Ｂ、Ｃ面での天枠２０の断面図であり、（ｄ）は（ｃ）の左端部の拡大図である。
【図３】（ａ）は未使用時、（ｂ）は使用時のクランプ部５０の垂直断面図であり、（ｃ）はクランプ部５０を用いてスキー板６０を固定した作業台１０の側面図である。
【図４】（ａ）は固定器具３０を用いてスキー板６０を固定した作業台１０の側面図であり、（ｂ）は（ａ）の天板２０を下方から見た平面図であり、（ｃ）は（ａ）の矢印Ｃ面での断面図である。
【符号の説明】
１０      作業台
１１      脚
１２、５３        蝶番
２０      天枠（天板）
２１      左辺
２２      右辺
２３      溝
２４      レール
２５      前端辺
２６      後端辺
２７      断力材
２８      切欠き
３０      固定器具
３１      固定部
３２      固定部材
３３ａ、３３ｂ              挟持部材
３４、４４、５４          ボルト
４０      嵌合部
４１      支持部材
４２      滑り止めゴム
４３      滑動部材
４５      嵌合部
４６      切欠き部
４６ａ  垂直面
４６ｂ  水平面
５０      クランプ部
５１      あご部
５２      溝
６０      スキー板
６１      締め具
６２      つま先部片
６３      かかと部片
【図１】
2004298397.tif 000003
【図２】
2004298397.tif 000004
【図３】
2004298397.tif 000005
【図４】
2004298397.tif 000006